(57)【要約】      （修正有）【課題】  被写体である乳幼児や児童を落ち着かせ、撮影者の能力を問わず誰であっても良好な写真撮影を行うことができる什器式写真撮影台を提供することである。【解決手段】  写真撮影の際に人物である被写体を載せる什器式写真撮影台において、たとえば被写体を水平方向に回転させる回転手段を備えたり加温手段、振動手段音楽出力手段、香発生手段を設けることを特徴とする。【選択図】  図１
2006184613.tif 000002
【特許請求の範囲】
【請求項１】
写真撮影の際に人物である被写体を載せる什器式写真撮影台において、
前記被写体を水平方向に回転させる回転手段を備えたことを特徴とする什器式写真撮影台。
【請求項２】
写真撮影の際に人物である被写体を載せる什器式写真撮影台において、
該撮影台上を任意の温度に加温する加温手段を備えたことを特徴とする什器式写真撮影台。
【請求項３】
前記加温手段による加温の温度が前記被写体の体温に近い温度であることを特徴とする請求項２に記載の什器式写真撮影台。
【請求項４】
写真撮影の際に人物である被写体を載せる什器式写真撮影台において、
該撮影台上に対して任意の振動を与える振動手段を備えたことを特徴とする什器式写真撮影台。
【請求項５】
前記振動手段による振動が前記被写体が胎内にいたときの母体の心音による振動に近いことを特徴とする請求項４に記載の什器式写真撮影台。
【請求項６】
写真撮影の際に人物である被写体を載せる什器式写真撮影台において、
前記被写体に向けて任意の音楽を出力する音楽出力手段を備えたことを特徴とする什器式写真撮影台。
【請求項７】
写真撮影の際に人物である被写体を載せる什器式写真撮影台において、
前記被写体に向けて任意の香を出力する香発生手段を備えたことを特徴とする什器式写真撮影台。
【発明の詳細な説明】
【技術分野】
【０００１】
本発明は、什器式写真撮影台に関し、詳しくは、写真撮影の際に被写体を載せる什器式写真撮影台に関する。
【背景技術】
【０００２】
従来から、人物を被写体として銀塩フィルムを用いたカメラやデジタルカメラ等によって写真撮影するための写真撮影スタジオとして様々なものが知られている。
【０００３】
ところで、アナログ的に色鮮やかに撮影するためには一眼レフカメラに銀塩フィルムを用いて撮影するのが望ましいが、最近ではディジタルカメラも高精度化、高機能化が進み、一般的な撮影においては遜色のない撮影画像を得ることができるまでになっている。
【０００４】
このようなカメラを用いて写真撮影する場合、被写体が人物であるとすると、その人物の表情、状態は常に変化するが、笑顔のときなど所望の状態のときに撮影するのが望ましい。このため、撮影者は被写体の人物を笑顔にするために様々な工夫をする必要がある。
【０００５】
このような状況において特許文献１に記載の写真撮影装置では、撮影者がモニタを見ながらデジタルカメラをリモート操作できるようにし、これによって撮影者は被写体である人物の近くで被写体と親密なコミュニケーションを図ることができるようにしている。
【０００６】
【特許文献１】特開２００１−３１３８４９号公報
【発明の開示】
【発明が解決しようとする課題】
【０００７】
しかしながら、特許文献１に記載の従来の写真撮影装置では、撮影者が被写体の近くでコミュニケーションを図ることができるものの、そのコミュニケーションのとり方は撮影者の能力、裁量に任されるものであり、誰が撮影しても被写体によい表情をとらせることができるようなものではなかった。
【０００８】
特に被写体が乳幼児や児童の場合には、泣いてしまったりするため、成人を相手にする場合とは違う特殊なコミュニケーションのとり方が必要であり、従来は誰もがうまく撮影できるようなものではなかった。
【０００９】
本発明は上記の点にかんがみてなされたもので、被写体である乳幼児や児童を落ち着かせ、撮影者の能力を問わず誰であっても良好な写真撮影を行うことができる什器式写真撮影台を提供することを目的とする。
【課題を解決するための手段】
【００１０】
本発明の什器式写真撮影用スタジオ装置は上記の目的を達成するために、写真撮影の際に人物である被写体を載せる什器式写真撮影台において、前記被写体を水平方向に回転させる回転手段を備えたことを特徴とする。
【００１１】
また本発明は、写真撮影の際に人物である被写体を載せる什器式写真撮影台において、該撮影台上を任意の温度に加温する加温手段を備えたことを特徴とする。
【００１２】
また本発明は請求項２に記載の発明において、前記加温手段による加温の温度が前記被写体の体温に近い温度であることを特徴とする。
【００１３】
また本発明は、写真撮影の際に人物である被写体を載せる什器式写真撮影台において、該撮影台上に対して任意の振動を与える振動手段を備えたことを特徴とする。
【００１４】
また本発明は請求項４に記載の発明において、前記振動手段による振動が前記被写体が胎内にいたときの母体の心音による振動に近いことを特徴とする。
【００１５】
また本発明は、写真撮影の際に人物である被写体を載せる什器式写真撮影台において、前記被写体に向けて任意の音楽を出力する音楽出力手段を備えたことを特徴とする。
【００１６】
また本発明は、写真撮影の際に人物である被写体を載せる什器式写真撮影台において、前記被写体に向けて任意の香を出力する香発生手段を備えたことを特徴とする。
【発明の効果】
【００１７】
本発明によれば、被写体である乳幼児や児童を落ち着かせ、撮影者の能力を問わず誰であっても良好な写真撮影を行うことができる什器式写真撮影台を提供することができる。
【００１８】
すなわち本発明によれば、被写体を水平方向に回転させる回転手段、撮影台上を任意の温度に加温する加温手段、撮影台上に対して任意の振動を与える振動手段、被写体に向けて任意の音楽を出力する音楽出力手段、または、被写体に向けて任意の香を出力する香発生手段を備えたので、被写体を落ち着かせることができる。
【発明を実施するための最良の形態】
【００１９】
以下、本発明の実施の形態を図面を参照して説明する。
【００２０】
図１は、本発明による什器式写真撮影台の一実施の形態の構成を示す斜視図である。
【００２１】
また図２は図１に示した什器式写真撮影台１の側断面図である。
【００２２】
本実施の形態の什器式写真撮影台では、被写体である乳幼児や児童をその上に載せ、その被写体を落ち着かせることができるようにしたものである。
【００２３】
図１および図２に示すように、本実施の形態の什器式写真撮影台すなわち撮影台１は、基台７上の四方にソレノイド６を設け、また基台７上の中央にモータ８を設け、ソレノイド６の上にはそのソレノイド６によって振動させられる振動台５を設け、その上に上面を温めることができる加温手段４を設け、さらにその上に、中央の回転部分３をモータ８によって回転させることができる回転台２と、各構成の動作を制御する制御回路９とを設けて構成される。
【００２４】
乳幼児や児童である被写体１０は回転台２の中央部分３の上に載せられ、その状態で撮影者１１によるデジタルカメラ１２を用いた写真撮影が行われる。
【００２５】
図３は、図１や図２に示した撮影台１の動作制御に関するブロック図である。
【００２６】
図３に示すように、図１に示した加温手段４、モータ８およびソレノイド６は、制御回路によって制御されて動作する。
【００２７】
制御回路９は、たとえばＰＣ（パソコン）によって構成され、操作者（撮影者１１が兼ねることもできる）の指示に基づいて動作するよう各構成を制御する。
【００２８】
加温手段４はたとえば電気ヒータを有するホットカーペット等によって構成することができ、回転台２の中央部分３の上に敷くこともできる。被写体１０が乳幼児の場合、体温に近い温度を好み、その温度状態において気分が落ち着きおとなしくしていることが知られている。そこで本実施の形態の撮影台１では加温手段４を設け、制御回路９によって加温手段４を制御して撮影台１上が所定温度（たとえば被写体１０の体温に近い温度（３５℃〜３７℃前後））になるようにし、被写体１０を落ち着かせることができるようにしている。
【００２９】
また本実施の形態では、モータ８を設け、このモータ８によって回転台２の中央部分３を水平方向に回転させることができるようにしている。写真撮影に当って中央部分３に載せられた被写体１０は、乳幼児であるため、撮影者１１の方を向いてくれるとは限らない。そこで本実施の形態の撮影台１では、制御回路９によってモータ８を制御して中央部分３を所望の角度だけ回転させ、被写体１０の向きを撮影者１１が所望するとおりにすることができるようにしている。また、この回転をたとえばゆっくりと所定のリズムで行うことによって被写体１０を喜ばせる効果を奏することもできる。
【００３０】
さらに本実施の形態では、ソレノイド６を設け、制御回路９によって制御されたソレノイド６によって振動台５を振動させ、回転台２の中央部分３に載せられた被写体１０にその振動を伝えられるようにしている。被写体１０が乳幼児の場合、胎内にいたときに感じていた母体の心音による振動に類似した振動を与えられることによって気分が落ち着きおとなしくしていることが知られている。そこで本実施の形態では、制御回路９によって制御したソレノイド６により撮影台１上に所定の振動（たとえば母体の心音による振動に近い振動）を発生させ、被写体１０を落ち着かせることができるようにしている。
【００３１】
図４は、図１に示した撮影台１を用いて写真撮影する際に用いる、照明を有する壁で囲って構成したスタジオ装置の一例を示す斜視図である。
【００３２】
このスタジオ装置６０は、右側壁２０と左側壁３０と後部壁４０とをコの字状に組立てて構成される。この例では、右側壁２０、左側壁３０および後部壁４０の上部の天井部分は開放されているが、この部分に上部から照明する蛍光灯を設けてもよい、右側壁２０内には蛍光灯２１が設けられており、また左側壁３０内には蛍光灯３１が設けられている。蛍光灯２１や３１からの光は、右側壁２０や左側壁３０の内壁を透過し、被写体１０を照らし、写真撮影の際の照明として用いられる。なお、照明の種類は蛍光灯に限るものではない。
【００３３】
右側壁２０と左側壁３０と後部壁４と０によって囲まれた領域には、図１に示した撮影台１が収容され、その上にたとえば乳幼児である被写体１０が上がる。上記のように右側壁２０と左側壁３０と後部壁４０とはコの字状に組立てられており、前面に撮影用開口部５０を有し、撮影者１１はデジタルカメラ１２を用いて、撮影用開口部５０から被写体１０の撮影を行う。
【００３４】
このスタジオ装置６０は什器式であり、各構成部分に分解し、既存の建物内にたとえばエレベータなどを使用して搬入し、搬入後に図４に示す状態に組立てることができる。
【００３５】
このようなスタジオ装置６０を用いるとき、撮影用開口部５０はコの字の一方にしか設けられていないため、被写体１０が後部壁４０の方を向いてしまったりすると、被写体１０の顔を撮影できなくなってしまう。ここで、本実施の形態の撮影第１では、上述のように中央部分３を回転させることができ、これによって被写体１０を撮影用開口部５０の方に向かせることができる。
【００３６】
なお、本実施の形態では、上述のように、温度の制御、被写体の向きの制御、振動の制御を行えるようにしたが、本発明はこれに限られるものではなく、たとえば被写体１０が落ち着きリラックスできるような香（芳香）を発生する香発生手段を設けたり、被写体１０が好む音楽を出力する音楽出力手段を設けたり、ボディソニックのように音や音楽と振動とを連動させて出力する手段を設けるようにしてもよい。
【００３７】
また本発明は、人をリラックスさせる効果を有するマイナスイオンやアルファ波を発生させるようにするものでもよいし、人の五感にあらゆる形で訴えるものであってよい。
【図面の簡単な説明】
【００３８】
【図１】本発明による什器式写真撮影台の一実施の形態の構成を示す斜視図である。
【図２】図１に示した什器式写真撮影台の側断面図である。
【図３】図１や図２に示した撮影台の動作制御に関するブロック図である。
【図４】図１に示した撮影台を用いて写真撮影する際に用いる、照明を有する壁で囲って構成したスタジオ装置の一例を示す斜視図である。
【符号の説明】
【００３９】
１  撮影台
２  回転台
３  中央部分
４  加温手段
５  振動台
６  ソレノイド
７  基台
８  モータ
９  制御回路
１０  被写体
１１  撮影者
１２  デジタルカメラ
２０  右側壁
２１  蛍光灯
３０  左側壁
３１  蛍光灯
４０  後部壁
５０  撮影用開口部
６０  スタジオ装置
【図１】
2006184613.tif 000003
【図２】
2006184613.tif 000004
【図３】
2006184613.tif 000005
【図４】
2006184613.tif 000006